(57)【要約】【課題】発電設備の運用改善に伴うエネルギーコスト削減量評価に関して、推定した運用改善日の電力需要における従来制御のエネルギーコストをベースラインとして設定する電力管理装置を提供することである。【解決手段】実施形態の電力管理装置は、燃料消費特性計算部と、取得部と、ベースライン計算部とを備える。燃料消費特性計算部は、需要家における電力需要と、前記需要家に電力を供給する複数の発電設備に係るエネルギーコストとの相関を示す燃料消費特性を算出する。取得部は、前記需要家における電力需要を取得する。ベースライン計算部は、前記燃料消費特性計算部が算出する燃料消費特性と、前記取得部により取得される前記需要家の電力需要に基づいて、エネルギーコストを推定する。【選択図】  図１
2017118795.tif 000002
【特許請求の範囲】
【請求項１】
需要家における電力需要と、前記需要家に電力を供給する複数の発電設備に係るエネル
ギーコストとの相関を示す燃料消費特性を算出する燃料消費特性計算部と、
前記需要家における電力需要を取得する取得部と、
前記燃料消費特性計算部が算出する燃料消費特性と、前記取得部により取得される前記
需要家の電力需要に基づいて、エネルギーコストを推定するベースライン計算部と、
を備える電力管理装置。
【請求項２】
前記燃料消費特性計算部は、気象情報と前記複数の発電設備の経年劣化を考慮して前記
燃料消費特性を算出する請求項１に記載の電力管理装置。
【請求項３】
前記取得部は、前記複数の発電設備のそれぞれの発電出力を取得し、
前記取得部が取得した発電設備それぞれの発電出力と、前記発電設備それぞれの燃料消
費特性とに基づいて、エネルギーコストを算出するエネルギーコスト計算部
を備える請求項１または２に記載の電力管理装置。
【請求項４】
前記エネルギーコスト計算部が算出するエネルギーコストと、前記ベースライン計算部
が推定するエネルギーコストとに基づいて、エネルギーコスト削減量を算出するエネルギ
ーコスト削減量計算部
を備える請求項３に記載の電力管理装置。
【請求項５】
前記エネルギーコスト計算部が算出するエネルギーコストと、前記ベースライン計算部
が推定するエネルギーコストとを比較して表示させる表示部
を備える請求項３または４に記載の電力管理装置。
【請求項６】
電力管理装置を、
需要家における電力需要と、前記需要家に電力を供給する複数の発電設備に係るエネル
ギーコストとの相関を示す燃料消費特性を算出する燃料消費特性計算手段と、
前記需要家における電力需要を取得する取得手段と、
前記燃料消費特性計算手段により算出される燃料消費特性と、前記取得手段により取得
される前記需要家の電力需要に基づいて、エネルギーコストを推定するベースライン計算
手段と、
して機能させるための電力管理プログラム。
【請求項７】
電力管理装置を用いて、
需要家における電力需要と、前記需要家に電力を供給する複数の発電設備に係るエネル
ギーコストとの相関を示す燃料消費特性を算出するステップと、
前記需要家における電力需要を取得するステップと、
前記燃料消費特性と、取得する前記需要家の電力需要に基づいて、エネルギーコストを
推定するステップと、
を実行する電力管理方法。
【発明の詳細な説明】
【技術分野】
【０００１】
本発明の実施形態は、電力管理設定装置、電力管理プログラム及び電力管理方法に関す
る。
【背景技術】
【０００２】
一般に、エネルギー効率の良い設備への更新や自動化システムの採用といった省エネ技
術の導入効果を評価するため、導入以前の従来設備や制御におけるエネルギーコストをベ
ースラインに設定し、省エネ技術導入後のエネルギーコストと比較している。
【０００３】
ベースラインの設定方法を含むエネルギーコストの削減量あるいは削減額の評価手法に
は、カタログデータや短期計測結果を用いることなど、過去の実績データを用いてベース
ラインの設定をする方法がある。
【０００４】
しかしこの方法では、運用改善日の電力需要と類似する電力需要を持つ日をベースライ
ン対象日と選定し、運用改善日のエネルギーコストとベースライン対象日のエネルギーコ
ストを比較するため、ベースライン対象日と運用改善日の電力需要が異なる場合には、適
切に評価できない。
【先行技術文献】
【特許文献】
【０００５】
【特許文献１】特開２００７―１９９８６２号公報
【発明の概要】
【発明が解決しようとする課題】
【０００６】
本発明の実施形態が解決しようとする課題は、発電設備の運用改善に伴うエネルギーコ
スト削減量評価に関して、推定した運用改善日の電力需要における従来制御のエネルギー
コストをベースラインとして設定する電力管理装置を提供することである。
【課題を解決するための手段】
【０００７】
上記課題を解決するために、実施形態の電力管理装置は、燃料消費特性計算部と、取得
部と、ベースライン計算部とを備える。燃料消費特性計算部は、需要家における電力需要
と、前記需要家に電力を供給する複数の発電設備に係るエネルギーコストとの相関を示す
燃料消費特性を算出する。取得部は、前記需要家における電力需要を取得する。ベースラ
イン計算部は、前記燃料消費特性計算部が算出する燃料消費特性と、前記取得部により取
得される前記需要家の電力需要に基づいて、エネルギーコストを推定する。
【図面の簡単な説明】
【０００８】
【図１】本発明の第１の実施形態に係る電力管理装置が発電設備への制御を行うシステムを示す図である。
【図２】本発明の第１の実施形態に係る電力管理装置の構成例を示す構成図である。
【図３】本発明の第１の実施形態に係る各発電機の燃料消費特性を示すグラフである。
【図４】本発明の第１の実施形態に係るベースライン設定方法を示すフローチャートである。
【図５】本発明の第１の実施形態に係る電力需要と燃料消費特性からエネルギーコストを求める方法を示すグラフである。
【図６】本発明の第１の実施形態に係る電力需要とエネルギーコストから発電プラント全体の燃料消費特性を求める方法を示すグラフである。
【図７】本発明の第１の実施形態に係る運用改善日の電力需要とプラントの燃料消費特性からベースラインを求める方法を示すグラフである。
【図８】本発明の第１の実施形態に係る運用改善日の電力需要値と各発電機の燃料消費特性から運用改善日のエネルギーコストを求める方法を示すグラフである。
【図９】本発明の第１の実施形態に係るエネルギーコストカーブから運用改善日とベースラインのエネルギーコストを比較する棒グラフである。
【図１０】本発明の第２の実施形態に係る電力管理装置の構成例を示す構成図である。
【図１１】本発明の第２の実施形態に係る外気温度により変動する燃料消費特性を示すグラフである。
【図１２】本発明の第２の実施形態に係るベースライン設定方法を示すフローチャートである。
【図１３】本発明の第２の実施形態に係る吸気温度に適した従来制御における発電プラントの燃料消費特性を選択し、用いた例を示したグラフである。
【発明を実施するための形態】
【０００９】
以下、図面を参照して発明を実施するための実施形態について説明する。
【００１０】
（第１の実施形態）
（構成）
図１に電力管理のシステム構成を示す。
【００１１】
電力需要を自家用発電設備で賄っている需要家において、電力需要値に基づき発電設備
のエネルギーコストが小さくなるように電力管理装置１が運転設定値を演算する。
【００１２】
電力管理装置１は、発電設備２からの発電出力値あるいは電力需要値を取得し、オペレ
ータ３の操作により発電設備２の運転設定値の演算を行い、出力する。ここで、発電設備
２は、発電機２１と発電機２２の２台構成とし、発電設備２からの発電出力値あるいは電
力需要値とは、発電機２１と発電機２２の合計の発電出力値のことを意味する。
【００１３】
図２に電力管理装置１の構成例を示す。電力管理装置１は、通信部１５０、入出力部１
６０、制御部１７０、記憶部１８０を備える。
【００１４】
制御部１７０は、データ取得部１７１、プラント燃料消費特性計算部１７２、ベースラ
イン計算部１７３、エネルギーコスト計算部１７４、エネルギーコスト削減量計算部１７
５を備える。
【００１５】
記憶部１８０は、運転履歴データ記憶部１８１、需要変動要因データ記憶部１８２、燃
料消費情報記憶部１８３、プラント燃料消費特性記憶部１８４、ベースライン記憶部１８
５、エネルギーコスト削減量記憶部１８６を備える。
【００１６】
運転履歴データ記憶部１８１は、発電設備２から取得した、過去の電力需要値やエネル
ギーコスト、運用改善日の電力需要値やエネルギーコストを記憶する。運用改善日の電力
需要値は、一定周期で計測したものを取得する。一定周期とは、例えば一日や半日などで
ある。
【００１７】
発電にかかるエネルギーコストは、一定周期で計測したものを取得するか、あるいは図
３に示すような各発電機の燃料消費特性から算出する。図３は、発電設備２の各発電機の
発電出力値に対するエネルギーコストの変化を示したグラフである。ここでエネルギーコ
ストとは、燃料費［円／ｈ］の他、カロリー［ｋｃａｌ／ｈ］、ガス体積［ｓｃｍ／ｈ］
も含む。この単位は、一定周期で計測する場合、消費した燃料を計測する手段による。
【００１８】
需要変動要因データ記憶部１８２は、運用改善日の気象情報や生産計画を記憶する。燃
料消費情報記憶部１８３は、あらかじめ取得した各発電機の燃料消費特性や燃料単価を記
憶する。
【００１９】
プラント燃料消費特性記憶部１８４は、プラント燃料消費特性計算部１７２で各発電機
の燃料消費特性から求められたプラント（発電設備）全体の燃料消費特性を記憶する。ベ
ースライン記憶部１８５は、ベースライン計算部１７３で計算されたベースライン計算部
１７３で計算されたベースラインを記憶する。エネルギーコスト削減量記憶部１８６は、
エネルギーコスト削減量計算部１７５で計算されたエネルギーコスト削減量あるいは削減
額を記憶する。
【００２０】
データ取得部１７１は、データ取得や、発電設備２・記憶部１８０などとの通信、記憶
部１８０を制御する。プラント燃料消費特性計算部１７２は、運転履歴データ記憶部１８
１に記憶された過去の電力需要値とエネルギーコストから、その相関を算出し、プラント
全体の燃料消費特性を計算する。そして、そのプラント全体の燃料消費特性をプラント燃
料消費特性記憶部１８４に記憶させる。
【００２１】
ベースライン計算部１７３は、運転履歴データ記憶部１８１に記憶された運用改善日の
エネルギーコストから、運用改善日のエネルギーコストに対するベースラインの推定を行
い、ベースライン記憶部１８５に記憶する。
【００２２】
エネルギーコスト計算部１７４は、運転履歴データ記憶部１８１に記憶された運用改善
日の電力需要値から運用改善日のエネルギーコストを計算し、運転履歴データ記憶部１８
１に記憶させる。
【００２３】
エネルギーコスト削減量計算部１７５は、運転履歴データ記憶部１８１に記憶された運
用改善日のエネルギーコストと、ベースライン記憶部１８５に記憶された運用改善日のエ
ネルギーコストに対するベースラインから、エネルギーコスト削減量あるいは削減額を計
算し、エネルギーコスト削減量記憶部１８６に記憶させる。
【００２４】
（作用）
図４にベースライン設定方法の処理フローチャートを示す。まず、電力管理装置１は、
事前に各発電機の燃料消費特性や燃料単価などの燃料消費特性情報の取得する（Ｓ１１）
。そして、運用改善日の気象情報や生産計画情報を取得する（Ｓ１２）。
【００２５】
次に、過去の電力需要値のうち気象情報や生産計画情報が一致もしくは類似する従来制
御日を選択し、選択した従来制御日のうち運用改善日の電力需要と類似している日を対象
日に決定する（Ｓ１３）。
【００２６】
そして、対象日の電力需要値を取得し、その対象日のエネルギーコストを算出する（Ｓ
１４）。対象日のエネルギーコストは、その対象日の電力需要値と各発電設備の燃料消費
特性を用いて算出する。
【００２７】
ここで、一般的に燃料消費特性は式（１）で表される。一定周期で電力需要を計測して
いれば、その時の発電に用いられたエネルギーコストを算出できる。
【００２８】
f=ap2+bp+c（f : 燃料費、p : 発電出力、a,b,c : 係数）・・・（１）
【００２９】
次に、従来制御の電力需要値とエネルギーコストの相関を取ることで、従来制御におけ
る発電プラント全体の燃料消費特性を求める（Ｓ１５）。発電プラント全体の燃料消費特
性の求め方を図５、図６を用いて説明する。
【００３０】
まず、従来制御の電力需要値に基づくエネルギーコストを求める。その方法を図５に示
す。従来制御のエネルギーコストを求めるのに、なお、従来制御のエネルギーコストは燃
料の消費量などを計測することで求めてもよい。
【００３１】
ここで、発電設備２は、発電機２１と発電機２２の２台構成とし、従来制御では、ある
電力需要値以下では発電機２１のみで電力を賄うが、ある電力需要値を超えると発電機２
２が起動し、発電するものとする。
【００３２】
図５（ａ）は、従来制御における時間に対する電力需要の変化を示すグラフである。あ
る時刻における発電機２１、発電機２２の発電出力値の合計をプロットしたものである。
発電機２１、発電機２２の発電出力の総和は、グラフのハッチング部分である積分値に対
応する。図５（ｂ）−１は、発電機２１の燃料消費特性を示すグラフ、図５（ｂ）−２は
、発電機２２の燃料消費特性を示すグラフである。図５（ｃ）は、従来制御における時間
に対するエネルギーコストの変化を示すグラフである。
【００３３】
図５（ａ）において、ある時刻の発電機２１・発電機２２の電力需要値（発電出力値）
から、図５（ｂ）−１、２の発電機２１・発電機２２それぞれの燃料消費特性をもとに燃
料費を算出する。ある時刻における燃料費は、発電機２１・発電機２２の発電出力によっ
て定まるそれぞれの燃料費の合計となる。その燃料費の単位時間の合計がエネルギーコス
トである。図５（ｃ）において、グラフのハッチング部分である積分値は、発電機２１・
発電機２２の発電にかかるエネルギーコストの総和に対応する。
【００３４】
図６に電力需要とエネルギーコストから発電プラント全体の燃料消費特性を求める方法
を示す。図６（ａ）は、図５（ａ）と同様の従来制御における時間に対する電力需要の変
化を示すグラフである。図６（ｂ）は、図５（ｃ）と同様の従来制御における時間に対す
るエネルギーコストの変化を示すグラフである。図６（ｃ）は、電力需要に対するエネル
ギーコストの変化を表す、プラントの燃料消費特性を示すグラフである。
【００３５】
図６（ａ）と図６（ｂ）から、ある時刻での電力需要とエネルギーコストを対応付ける
。横軸に電力需要、縦軸にエネルギーコストとしたグラフが、図６（ｃ）に示すように、
電力需要と燃料費の相関を示す。このグラフは、電力需要に応じた発電機２１・発電機２
２の合計のエネルギーコストを示しているため、プラント全体の燃料消費特性とする。
【００３６】
この時、発電プラントの燃料消費特性は式（２）のように表される。
【００３７】
f = anpn+an-1pn-1+…+a1p+a0（f : 燃料費、p : 発電出力、ak : 係数（k=0,1,…,n））
・・・（２）
【００３８】
次に、運用改善日の電力需要値を取得する（Ｓ１６）。なお単位は、日単位や半日単位
など制限はなく、任意である。
【００３９】
その後、運用改善日の電力需要値と従来制御における発電プラント全体の燃料消費特性
から、運用改善日の電力需要の時に従来制御をした場合のエネルギーコストを算出する。
それを比較基準のベースラインとして設定する（Ｓ１７）。
【００４０】
図７に運用改善日の電力需要とプラントの燃料消費特性からベースラインを求める方法
を示す。図７（ａ）は、運用改善日の時間に対する電力需要の変化を示したグラフである
。図７（ｂ）は、図６（ｃ）と同様の電力需要に対するエネルギーコストの変化を表す、
プラントの燃料消費特性を示すグラフである。図７（ｃ）は、ベースラインとしての、時
間に対するエネルギーコストの変化を示すグラフである。
【００４１】
取得した図７（ａ）の運用改善日の電力需要と図７（ｂ）のプラントの燃料消費特性の
グラフから、ある時刻における電力需要が、従来制御の運用におけるどの程度のエネルギ
ーコストに相当するかを算出する。算出された図７（ｃ）を、エネルギーコストカーブと
する。このエネルギーコストカーブをベースラインとして、燃料費削減額を算出する際の
基準とする。ここで、プラントのエネルギーコストとは、発電機２１・発電機２２のエネ
ルギーコストの総和である。
【００４２】
ベースラインとして従来制御の運用におけるエネルギーコストの総和を算出するには、
図７（ｃ）のエネルギーコストカーブのハッチング部分である積分値を求めればよい。
【００４３】
次に、運用改善日のエネルギーコストを算出する。運用改善日の電力需要値と各発電機
の燃料消費特性から運用改善日のエネルギーコストを算出する（Ｓ１８）。その方法を図
８に示す。取得した運用改善日の電力需要と、発電機２１・発電機２２のそれぞれの燃料
消費特性とを用いる。
【００４４】
図８（ａ）は、図７（ａ）と同様の運用改善日の時間に対する電力需要の変化を示した
グラフである。図８（ｂ）−１，２は、図５（ｂ）−１，２と同様の発電機２１・発電機
２２のそれぞれの燃料消費特性を示すグラフである。図８（ｃ）は、運用改善日の時間に
対するエネルギーコストの変化を示したグラフである。
【００４５】
図８（ａ）と図８（ｂ）−１，２から、ある時刻における発電機２１・発電機２２の発
電出力によって定まるそれぞれの燃料費の合計が、ある時刻における燃料費となる。その
燃料費の合計がプラントのエネルギーコストである。図８（ｃ）のエネルギーコストカー
ブにおいて、カーブのハッチング部分である積分値から、発電機２１・発電機２２の発電
にかかるエネルギーコストの総和を算出する。
【００４６】
このように、同じ電力需要に対し、従来制御の運用におけるエネルギーコストの総和と
運用改善日のエネルギーコストの総和を算出することで、比較評価できる。これにより、
同じ電力需要に対する発電設備の運用改善に伴うエネルギーコスト削減量あるいは削減額
を算出できる（Ｓ１９）。
【００４７】
図９にエネルギーコストカーブから運用改善日とベースラインのエネルギーコストを比
較する棒グラフを示す。図９（ａ）は、図７（ｃ）と同様のベースラインとしてのエネル
ギーコストカーブである。図９（ｂ）は、図８（ｃ）と同様の運用改善日のエネルギーコ
ストカーブである。図９（ｃ）は、ベースラインと運用改善日のエネルギーコストを示す
棒グラフである。
【００４８】
図９（ａ）のエネルギーコストカーブのハッチング部分である積分値から、ベースライ
ンのエネルギーコストの総和を求める。図９（ｂ）のエネルギーコストカーブのハッチン
グ部分である積分値から、運用改善日のエネルギーコストの総和を求める。図９（ｃ）は
、それぞれの総和を例として棒グラフであり、運用改善日のエネルギーコストとベースラ
インのエネルギーコストを比較している。比較結果は、図示しない表示部に表示させてい
る。
【００４９】
運用改善日のエネルギーコストのベースラインからの削減分が、省エネ技術導入による
効果である。エネルギーコストの削減分である省エネ技術導入による効果について、定量
的に評価を行う。
【００５０】
（効果）
運用改善日の電力需要において従来制御ではどの程度のエネルギーコストであったのか
を推定し、エネルギーコストの比較基準であるベースラインを設定する機能を提供できる
。その機能は、従来制御における過去の電力需要値とエネルギーコストの相関である発電
プラントの燃料消費特性を算出し、運用改善日の電力需要値に対し適用することで、可能
となる。
【００５１】
また、本機能により、同じ電力需要に対し、発電設備の省エネ技術導入による運用改善
に伴うエネルギーコスト削減量あるいは削減額を算出し、定量的に評価することが可能と
なる。
【００５２】
なお、本実施例では発電にかかるエネルギーコストを一定周期で計測する場合、エネル
ギーコストは日単位で計測しているものとしたが、半日単位や２日、１週間単位など任意
の単位で計測できる。また、任意の単位でベースラインの設定やエネルギーコストの削減
分を定量評価できる。
【００５３】
また、本実施例では、発電設備２は発電機２１と発電機２２の２台構成としたが、３台
以上の構成でもよい。
【００５４】
また、運用改善日のエネルギーコストとベースラインのエネルギーコストを比較する際
、本実施例では棒グラフで表したが、グラフの種類は任意である。
【００５５】
（第２の実施形態）
（構成）
図１０の構成図について説明する。第２の実施形態の図１０が第１の実施形態の図２と
異なる点は、燃料消費特性選択部１７６を付加した点であり、この燃料消費特性選択部１
７６以外は第１の実施形態と同じであるので、同一部分には同一符号を付して詳細な説明
は省略する。
【００５６】
燃料消費特性選択部１７６は、需要変動要因データ記憶部１８２に記憶されている気象
情報をもとに、燃料消費情報記憶部１８３あるいはプラント燃料消費特性記憶部１８４に
記憶されているプラント燃料消費特性あるいは発電機の燃料消費特性のうち適したものを
選択する。そして、選択された各発電機の燃料消費特性あるいはプラント燃料消費特性を
、ベースライン計算部１７３でベースラインの計算に使用させる。
【００５７】
一般に、発電設備は吸気温度が上がると出力が低下し、吸気温度が下がると出力が上昇
する。そのため、燃料消費特性は吸気温度により図１１に示すように変動する。吸気温度
により変化する従来制御におけるプラントの燃料消費特性は、プラント燃料消費特性記憶
部１８４に記憶されているとする。プラントの燃料消費特性とは、図６のように従来制御
における電力需要と従来制御におけるエネルギーコストから求めた、電力需要と燃料費の
相関のことである。
【００５８】
また、吸気温度により変化する各発電機の燃料消費特性の情報は、燃料消費情報記憶部
１８３に記憶されているとする。
【００５９】
なお、吸気温度とは、発電機に取り込まれる気体の温度のことである。気温と同じ場合
もあるが、発電効率の上昇のため、外気を冷やして発電機に用いる場合もある。
【００６０】
（作用）
図１２のフローチャートについて説明する。第２の実施形態の図１２が第１の実施形態
の図４と異なる点は、Ｓ１３とＳ１４の間に「吸気温度に適した燃料消費特性の選択」
【００６１】
（Ｓ２０）を付加した点であり、このＳ２０以外は第１の実施形態と同じであるので、同
一部分には同一符号を付して詳細な説明は省略する。
【００６２】
燃料消費特性選択部１７６は、需要変動要因データ記憶部１８２に記憶されている吸気
温度の情報から、燃料消費情報記憶部１８３に記憶されている各発電機の燃料消費特性の
うち適したものを選択する（Ｓ２０）。
【００６３】
選択された各発電機の燃料消費特性を用いて、運用改善日と似た電力需要のある過去の
対象日のエネルギーコストを算出する（Ｓ１４）。また、運用改善日のエネルギーコスト
を算出する際も、選択された各発電機の燃料消費特性を用いる（Ｓ１８）。つまり、電力
需要値と各発電機の燃料消費特性からエネルギーコストを算出する際、燃料消費特性の温
度変化特性を考慮する。
【００６４】
ここでＳ１７において、運用改善日のエネルギーコストに対するベースラインを算出す
る際、吸気温度により変化する従来制御における発電プラントの燃料消費特性がプラント
燃料消費特性記憶部１８４に記憶されている場合、吸気温度に適した従来制御における発
電プラントの燃料消費特性を選択し、用いてもよい。その方法を示した例が図１３である
。
【００６５】
図１３（ａ）は、吸気温度が２５℃の運用改善日の時間に対する電力需要の変化を示し
たグラフである。図１３（ｂ）−１は、吸気温度が１０℃の従来制御における発電プラン
トの燃料消費特性を示すグラフである。図１３（ｂ）−２は、吸気温度が１５℃の従来制
御における発電プラントの燃料消費特性を示すグラフである。図１３（ｂ）−３は、吸気
温度が２５℃の従来制御における発電プラントの燃料消費特性を示すグラフである。図１
３（ｂ）−４は、吸気温度が３０℃の従来制御における発電プラントの燃料消費特性を示
すグラフである。
【００６６】
例えば、図１３（ａ）に示すように運用改善日の吸気温度が２５℃の場合、プラント燃
料消費特性記憶部１８４に記憶されている、図１３（ｂ）−１〜４のような吸気温度によ
り変化する従来制御における発電プラントの燃料消費特性のうち、図１３（ｂ）−３の吸
気温度が２５℃のプラント燃料消費特性が選択される。
【００６７】
図１３（ａ）の運用改善日の電力需要と選択された図１３（ｂ）−３のプラントの燃料
消費特性から、ベースラインのエネルギーコストカーブが、ベースライン計算部１７３に
よって求まる。
【００６８】
なお、吸気温度により変化する従来制御における発電プラントの燃料消費特性は、図６
のように、それぞれの吸気温度での過去の電力需要とエネルギーコストから求める。求め
た吸気温度により変化する従来制御における発電プラントの燃料消費特性は、プラント燃
料消費特性記憶部１８４に記憶される。
【００６９】
温度変化を考慮した燃料消費特性を用いてエネルギーコストを算出することで、温度変
化に応じた発電プラント全体の燃料消費特性を得る。
【００７０】
（効果）
上記のように、温度変化を考慮した燃料消費特性を用いてエネルギーコストを算出する
ことで、温度変化に応じたより正確なベースライン設定が可能となる。
【００７１】
なお、燃料消費特性は温度変化以外の気象条件、例えば湿度や気圧等や、経年劣化とい
った要因でも変動する。そのため、それらの要因も考慮した燃料消費特性を用いてエネル
ギーコストを算出することで、気象条件変化・経年劣化に応じたより正確なベースライン
設定が可能となる。
【００７２】
その際、プラント燃料消費特性記憶部１８４に気象条件変化・経年劣化により変化する
従来制御における発電プラントの燃料消費特性が記憶され、気象条件変化・経年劣化に適
したプラント燃料消費特性を選択されることもできる。その場合、プラント燃料消費特性
を計算するステップを省くことができるため、ベースラインの設定をする処理速度を上げ
ることができる。
【００７３】
本実施形態では、温度変化に応じた発電プラント全体の燃料消費特性を記憶させ、吸気
温度に適したものを選択させているため、ベースラインを設定する処理速度が上がる。
【００７４】
一方、温度変化に応じた各発電機の燃料消費特性を記憶させ、吸気温度に応じた適切な
燃料消費特性を選択させ、プラント燃料消費特性を計算させても良く、この場合、プラン
ト燃料消費特性記憶部１８４の記憶容量が少なくて済む。
【符号の説明】
【００７５】
１      電力管理装置
１５０  通信部
１６０  入出力部
１７０  制御部
１８０  記憶部
２      発電設備
３      オペレータ
【図１】
2017118795.tif 000003
【図２】
2017118795.tif 000004
【図３】
2017118795.tif 000005
【図４】
2017118795.tif 000006
【図５】
2017118795.tif 000007
【図６】
2017118795.tif 000008
【図７】
2017118795.tif 000009
【図８】
2017118795.tif 000010
【図９】
2017118795.tif 000011
【図１０】
2017118795.tif 000012
【図１１】
2017118795.tif 000013
【図１２】
2017118795.tif 000014
【図１３】
2017118795.tif 000015